【手続補正書】
【提出日】平成16年4月9日(2004.4.9)
【手続補正１】
【補正対象書類名】明細書
【補正対象項目名】特許請求の範囲
【補正方法】変更
【補正の内容】
【特許請求の範囲】
【請求項１】
キャリア同期を行うためのプリアンブル部と、該プリアンブル部に続くデータ部とを有する送信フレームを送信する情報通信装置において、前記送信フレーム信号を増幅してアンテナに送る送信増幅手段を有し、該送信増幅手段は、前記送信フレームのプリアンブル部の送信電力をデータ部に比較して高める送信電力調整手段を備えていることを特徴とする情報通信装置。
【請求項２】
前記送信電力調整手段は、送信フレーム信号に応じてプリアンブル部送信電力設定値及びデータ部送信電力設定値を選択する選択回路と、該選択回路で選択された送信電力設定値が入力され、当該送信電力設定値に応じて送信フレーム信号を増幅する電圧制御型増幅器とで構成されていることを特徴とする請求項１記載の情報通信装置。
【請求項３】
送信フレームを受信する情報通信装置との間の通信状態を検出する通信状態検出手段を有し、前記選択回路は、前記通信状態検出手段の検出結果が通信状態が不良であるときにプリアンプル部送信電力設定値を選択可能に構成されていることを特徴とする請求項２記載の情報通信装置。
【請求項４】
キャリア同期を行うためのプリアンブル部と、該プリアンブル部に続くデータ部とを有する送信フレームを送信する情報通信方法において、前記送信フレームを送信する際に、前記プリアンブル部の送信電力をデータ部の送信電力に比較して高い送信電力で送信するようにしたことを特徴とする情報通信方法。
【請求項５】
キャリア同期を行うためのプリアンブル部と、該プリアンブル部に続くデータ部とを有する送信フレームを送信する情報通信方法において、前記送信フレームを送信する際に、通信状態を判断し、通信状態が良好であるときには、送信フレームを通常送信電力で送信し、通信状態が不良であるときには、前記プリアンブル部の送信電力をデータ部の送信電力に比較して高い送信電力で送信するようにしたことを特徴とする情報通信方法。
【手続補正２】
【補正対象書類名】明細書
【補正対象項目名】０００６
【補正方法】変更
【補正の内容】
【０００６】
【課題を解決するための手段】
上記目的を達成するために、請求項１に係る情報通信装置は、キャリア同期を行うためのプリアンブル部と、該プリアンブル部に続くデータ部とを有する送信フレームを送信する情報通信装置において、前記送信フレーム信号を増幅してアンテナに送る送信増幅手段を有し、該送信増幅手段は、前記送信フレームのプリアンブル部の送信電力をデータ部に比較して高める送信電力調整手段を備えていることを特徴としている。


【手続補正３】
【補正対象書類名】明細書
【補正対象項目名】０００９
【補正方法】変更
【補正の内容】
【０００９】
さらにまた、請求項４に係る情報通信方法は、キャリア同期を行うためのプリアンブル部と、該プリアンブル部に続くデータ部とを有する送信フレームを送信する情報通信方法において、前記送信フレームを送信する際に、前記プリアンブル部の送信電力をデータ部の送信電力に比較して高い送信電力で送信するようにしたことを特徴としている。


【手続補正４】
【補正対象書類名】明細書
【補正対象項目名】００１０
【補正方法】変更
【補正の内容】
【００１０】
なおさらに、請求項５に係る情報通信方法は、キャリア同期を行うためのプリアンブル部と、該プリアンブル部に続くデータ部とを有する送信フレームを送信する情報通信方法において、前記送信フレームを送信する際に、通信状態を判断し、通信状態が良好であるときには、送信フレームを通常送信電力で送信し、通信状態が不良であるときには、前記プリアンブル部の送信電力をデータ部の送信電力に比較して高い送信電力で送信するようにしたことを特徴としている。


【手続補正５】
【補正対象書類名】明細書
【補正対象項目名】００１２
【補正方法】変更
【補正の内容】
【００１２】
近距離無線通信装置１１は、送受信アンテナ２１が低域通過型のアンテナフィルタ２２を介して送受切換回路２３に接続され、この送受切換回路２３の受信側出力端子が受信回路２４に接続され、送信側入力端子が送信回路２５に接続されている。
受信回路２４は、送受切換回路２３から出力される受信信号が入力されるローノイズアンプ（ＬＮＡ）２６と、このローノイズアンプ２６の出力信号を後述する周波数ホッピング用の周波数シンセサイザ４０からバッファアンプ２７を介して入力される局部発振信号とミキシングして中間周波信号に変換するミキサ２８と、このミキサ２８から出力される中間周波信号が入力されてミキシングする際に発生するイメージ信号を除去するバンドパスフィルタ２９と、このバンドパスフィルタ２９のフィルタ出力を増幅する中間周波（ＩＦ）アンプ３０と、この中間周波アンプ３０にローパスフィルタ３１を介して接続された出力を定振幅にするリミッタアンプ３２と、このリミッタアンプ３２の増幅出力が入力される検波回路３３とを備えており、検波回路３３から出力される受信データがベースバンド処理部５０に入力されると共に、中間周波アンプ３０及びリミッタアンプ３２から出力される受信信号レベルを表すＲＳＳＩ(Receiver Signal Strength Indicator)信号もベースバンド信号処理装置５０に入力される。


【手続補正６】
【補正対象書類名】明細書
【補正対象項目名】００１４
【補正方法】変更
【補正の内容】
【００１４】
さらに、周波数シンセサイザ４０は、ベースバンド信号処理装置５０から出力される周波数ホッピングを設定する設定信号が入力されるフェーズロックドループ（ＰＬＬ）回路４１と、このフェーズロックドループ回路４１の出力信号が入力されるローパスフィルタ４２と、このローパスフィルタ４２のフィルタ出力とベースバンド信号処理装置１１からの送信データがアンプ４３及びローパスフィルタ４４を介して入力され、周波数ホッピングされる送信信号を形成する電圧制御発振器（ＶＣＯ）４５と、この電圧制御発振器４５から出力される送信信号を２逓倍する２逓倍回路４６とを備えており、電圧制御発振器４５から出力される送信信号がフェーズロックドループ回路４１に帰還されると共に、２逓倍回路４６から出力される２逓倍信号を送信回路２５のパワーアンプ３５に供給すると共に、バッファアンプ２７を介して受信回路２４のミキサ２８に局部発振信号として供給する。


【手続補正７】
【補正対象書類名】明細書
【補正対象項目名】００２０
【補正方法】変更
【補正の内容】
【００２０】
ここで、硬判定復号回路５１Ａは、図４に示すように、受信データが入力される６段のバッファレジスタＢＲ０〜ＢＲ５と、割算器を構成する受信データが入力されるゲート回路Ｇ、３段のシフトレジスタＳＲＡ０〜ＳＲＡ２、加算器ＡＤ１〜ＡＤ３、ＮＯＴ回路ＮＴ１，ＮＴ２及びＡＮＤ回路ＡＮで構成される割り算回路ＤＶとを有する。


【手続補正８】
【補正対象書類名】明細書
【補正対象項目名】００２１
【補正方法】変更
【補正の内容】
【００２１】
この硬判定復号回路５１Ａでは、ゲート回路Ｇを開状態とした状態で、７ビットの受信系列を順次バッファレジスタＢＲ０〜ＢＲ５と割算器ＤＶとに同時に入力すると、７ビットの受信系列の入力が終了した時点で、割算器ＤＶの中にシンドロームが得られる。この時点で、割算器ＤＶの入力ゲート回路Ｇをオフにし、バッファレジスタＢＲ０〜ＢＲ５からデータを読出すと同時に割算器ＤＶの内容を右にシフトして、ＮＯＴ回路ＮＴ１，ＮＴ２及びＡＮＤ回路ＡＮで「００１」が検出されたときに、加算器ＡＤ３に“１”を供給することにより、この加算器ＡＤ３でｍｏｄ２の演算を行って誤りビットを訂正する。


【手続補正９】
【補正対象書類名】明細書
【補正対象項目名】００２４
【補正方法】変更
【補正の内容】
【００２４】
次に、上記実施形態の動作を上記情報通信装置１０から同一構成を有する他の情報通信装置に送信フレームを授受する場合について説明する。
今、他の情報通信装置で、ベースバンド信号処理装置５０における送信データ処理部５３の誤り訂正符号化回路５３ａで、送信データを４ビットずつに区切り、これを情報ビットとし、これに３ビットの冗長ビットを付加して（７，４）符号化処理を行って計７ビットの送信データを作成し、これにＢＰＳＫ変調信号でなるプリアンブル部を付加して送信フレームを生成し、これを周波数シンセサイザ４０の電圧制御発振器４５に供給することにより、周波数ホッピングパターンで送信フレームが送信回路２５、切換回路２３を介してアンテナ２１から送信したものとする。


【手続補正１０】
【補正対象書類名】明細書
【補正対象項目名】００２５
【補正方法】変更
【補正の内容】
【００２５】
この送信フレームを情報通信装置１０のアンテナ２１で受信すると、この受信データがアンテナフィルタ２２に供給されて必要な帯域のみを抽出し、抽出した受信データが切換回路２３を介して受信回路２４に供給される。
この受信回路２４では、受信データをローノイズアンプ２６で増幅してからミキサ２８で電圧制御発振器４５の発振出力を２逓倍した高周波信号とミキシングして中間周波信号に変換し、これを２段の中間周波アンプ３０，３２で増幅するが、この間に低域通過フィルタ３１でミキシング時に発生するイメージ信号を除去してから検波回路３３に供給して、検波した受信信号がベースバンド信号処理装置５０に入力される。一方、２段の中間周波アンプ３０，３２から出力される受信強度を表すＲＳＳＩ信号が互いに加算されてベースバンド信号処理装置５０の通信状態検出部５４に供給される。


【手続補正１１】
【補正対象書類名】明細書
【補正対象項目名】００２６
【補正方法】変更
【補正の内容】
【００２６】
この情報通信装置１０での受信開始時に、通信状態検出部５４で検出した受信データの受信強度ＲＳＳＩが予め設定した受信強度閾値ＴＨ以上であり通信が良好な状態であるときには、選択制御回路５１Ｄから論理値“０”の選択信号が選択回路５１Ｃに供給されることにより、この選択回路５１Ｃで硬判定復号回路５１Ａが選択される。


【手続補正１２】
【補正対象書類名】明細書
【補正対象項目名】００２７
【補正方法】変更
【補正の内容】
【００２７】
このため、受信データが硬判定復号回路５１Ａに供給されて、割算回路ＤＶで（７，４）ハミング符号のシンドロームを算出し、この割算回路ＤＶの１，ｘ，ｘ-２に対応する項が０，０，１となったときに、加算器ＡＤ３に“１”を供給して、該当するバッファレジスタＢＲ０〜ＢＲ５のシフト出力とｍｏｄ２の演算を行うことにより、誤り符号を訂正することができる。


【手続補正１３】
【補正対象書類名】明細書
【補正対象項目名】００３５
【補正方法】変更
【補正の内容】
【００３５】
一方、受信データを軟判定復号回路５１Ｂでビタビ復号する場合には、ブランチメトリック演算部５５で受信系列の各受信符号夫々における受信符号パターンのメトリック（ブランチメトリック）を求め、ＡＣＳ演算部５６で前時刻のメトリック（パスメトリック）と組み合わせて、パスの尤度を求め、生き残りパスの選択を行うと共に、次の時刻のためのパスメトリックをパスメトリック記憶部５８に記憶して保持する。そして、トレースバック演算部６０でパス選択信号記憶部５９からパス選択信号データを読出し、パス選択信号から取出したパス選択信号によって、次サイクルでシフトレジスタを更新するトレースバック処理を行って、ビタビ復号を行う。


【手続補正１４】
【補正対象書類名】明細書
【補正対象項目名】００４１
【補正方法】変更
【補正の内容】
【００４１】
このように、上記実施形態によると、通信状態が不良であるときに、送信側の情報通信装置１０で送信フレームのＢＰＳＫ変調信号でなるプリアンブル部の送信時に通常送信電力より高い送信電力で送信し、データ部については通常の送信電力で送信するので、送信フレームの平均的な送信電力は低く抑制しながら、受信側の情報通信装置１０で送信フレームを受信したときに、ベースバンド信号処理装置５０の受信データ処理部５１におけるキャリア再生回路５１Ｅで再生キャリア位相を正確に得ることができる。また、データ部については送信電力が通常の送信電力であるが、軟判定復号部５１Ｂでビタビ復号するので、ビット誤り率を向上させて良好なデータ復号を行うことができる。


【手続補正１５】
【補正対象書類名】明細書
【補正対象項目名】００４４
【補正方法】変更
【補正の内容】
【００４４】
ＭＬＳＥ等化器９０では、送信フレームのプリアンブル区間とデータ区間とで異なるアルゴリズムで実行される。すなわち、プリアンブル区間では高速の位相同期とチャネル推定が必要なため、ＲＬＳアルゴリズムを用いる。また、系列推定は行わず確定したパスを遷移させる。データ区間では演算量の低減を図るため、チャネル推定に限り最小自乗平均（ＬＭＳ）アルゴリズムを用いる。また、系列推定はビタビアルゴリズムにより実行する。チャネル推定器９２で推定したタップベクトルｗ(k) と候補系列発生器９４の候補系列ベクトルＤ(k) とをレプリカ生成器９５で畳み込み（内積）演算を行うことにより、受信信号のレプリカＲep(k) を得る。このレプリカＲep(k) を複素乗算器９６でキャリア同期回路８０からの位相同期用複素重み係数Ａpc(k) と乗算して加算器９１で復調信号ｕ(k) と比較されて誤差信号ｅ(k) を得る。この誤差信号ｅ(k) がチャネル推定器９２及び系列推定器９３に供給される。チャネル推定器９２ではプリアンブル区間ではＲＬＳアルゴリズムを使用してタップベクトルｗ(k) を修正し、プリアンブル区間が終了すると、ＬＭＳアルゴリズムによってタップベクトルｗ(k) が修正される。
そして、系列推定器９３からビタビアルゴリズムで復調された復調出力ｄ(k) が出力される。


【手続補正１６】
【補正対象書類名】明細書
【補正対象項目名】００４９
【補正方法】変更
【補正の内容】
【００４９】
同様に、受信データ処理部５１の硬判定復号回路５１Ａ及び軟判定復号回路５１Ｂも（１５，１０）短縮ハミング符号の復号が可能な構成とする。
この（１５，１０）短縮ハミング符号を使用する場合にも、パリティ検査行列Ｈは下記（３）式で表すことができ、生成行列Ｇは下記（４）式で表すことができる。


【手続補正１７】
【補正対象書類名】明細書
【補正対象項目名】００５２
【補正方法】変更
【補正の内容】
【００５２】
なおさらに、上記実施形態においては、本発明を近距離無線通信を行う情報通信装置１０に適用した場合について説明したが、これに限定されるものではなく、例えば５ＧＨｚ帯を使用する無線ＬＡＮシステムにも本発明を適用することができる。
すなわち、図１０に示すように、アンテナ１００がバンドパスフィルタ１０１を介して送受信切換回路１０２に接続され、この送受信切換回路１０２の受信側端子がローノイズアンプ１０３を介してＲＦ／ＩＦコンバータ１０４に、送信側端子がパワーアンプ１０５を介し、バンドパスフィルタ１０６を介してＲＦ／ＩＦコンバータ１０４に接続されている。このＲＦ／ＩＦコンバータ１０４の受信側がＱＰＳＫ／ＢＰＳＫ復調器１０７を介してベースバンド信号処理装置１０９に、送信側がＱＰＳＫ／ＢＰＳＫ変調器１０８を介してベースバンド信号処理装置１０９に接続され、このベースバンド信号処理装置１０９がワイヤレスＬＡＮ制御部１１０を介してＰＣＭＣＩＡコネクタ１１１を介してノート型パーソナルコンピュータ等の携帯型情報処理装置に接続される。


【手続補正１８】
【補正対象書類名】図面
【補正対象項目名】図４
【補正方法】変更
【補正の内容】
【図４】
2003110499.tif 000001